(57)【要約】【課題】家具内外の空気流通を確保した上で、綿埃や小虫などの侵入を防止する。【解決手段】中央部に手掛け窓１３が開口形成された前面板５と、手掛け窓１３を囲むように前面板５の背面の内側に一体に突出形成された枠形の前部周壁４と、前部周壁４の一辺に沿って手掛け窓１３内に突出するように前面板５に連続して形成された手掛け板５ａとを備えた把手本体２と、前記前面板５に対向して設けられた背面板８と、背面板８の前面の内側に一体に突出形成され、前記前部周壁４に着脱自在に嵌合される後部周壁７とを備えた取付板３とを具備し、前記把手本体２の前面側から見て、前記手掛け板５ａの背面に隠れる前記背面板８の板面には、空気流通用の多数の小孔９を貫通して形成する。多数の小孔９は、多数の小円孔の集合により形成される。【選択図】      図１
0003127037.tif 000002
【実用新案登録請求の範囲】
【請求項１】
中央部に手掛け窓（１３）が開口形成された前面板（５）と、手掛け窓（１３）を囲むように前面板（５）の背面の内側に一体に突出形成された枠形の前部周壁（４）と、前部周壁（４）の一辺に沿って手掛け窓（１３）内に突出するように前面板（５）に連続して形成された手掛け板（５ａ）とを備えた把手本体（２）と、
前記前面板（５）に対向して設けられた背面板（８）と、背面板（８）の前面の内側に一体に突出形成され、前記前部周壁（４）に着脱自在に嵌合される後部周壁（７）とを備えた取付板（３）とを具備し、
前記把手本体（２）の前面側から見て、前記手掛け板（５ａ）の背面に隠れる前記背面板（８）の板面には、空気流通用の多数の小円孔の集合よりなる多数の小孔（９）が貫通して形成されていることを特徴とする家具用把手。
【請求項２】
前記空気流通用の多数の小孔（９）は、前記手掛け板（５ａ）の背面に隠れる前記背面板（８）の板面に、手掛け板（５ａ）の前縁乃至前記後部周壁（７）の内縁の一辺に沿って、マトリックス状かつ千鳥状に、複数行複数列整列して形成され、かつ小孔（９）の一部は、前記把手本体（２）の前面側から見て、前記手掛け窓（１３）から見える位置に形成されていることを特徴とする請求項１に記載の家具用把手。
【請求項３】
前記小孔（９）は、直径が略０．５mmから２．０mmの円孔であることを特徴とする請求項１又は２に記載の家具用把手。
【請求項４】
前記把手本体（２）の前記周壁（４）の内側両端部には、一対の取付用ボス部（６）が一体に形成され、前記取付板（３）の前記背面板（８）に対する対向位置両側には、一対の取付孔（１０）が開口形成され、前記取付孔（１０）を通じて前記取付用ボス部（６）に取付具（Ｂ）を結合することで、把手本体（２）と取付板（３）間を連結固定することを特徴とする請求項１乃至３のいずれか１項に記載の家具用把手。
【請求項５】
前記把手本体（２）の前記前面板（５）に連続する前記手掛け板（５ａ）前面の開口縁に沿って突条（５ｂ）を突設したことを特徴とする請求項１乃至４のいずれか１項に記載の家具用把手。
【請求項６】
前記取付板（３）における後部周壁（７）の内側には、前記取付用ボス部（６）と入れ子式に嵌め合うことにより、把手本体（２）と取付板（３）間の嵌め合い位置を規制するための嵌入阻止ブロック（１１）が一体に形成されていることを特徴とする請求項４に記載の家具用把手。
【考案の詳細な説明】
【技術分野】
【０００１】
本考案は、箪笥、机、戸棚等一般家庭用家具やオフィス用家具、什器類の抽斗や戸などに用いて好適な家具用把手に関するものである。
【背景技術】
【０００２】
従来の家具用把手の取付は、家具の取付面に開口された取付孔に、把手を構成する指掛け部をそのまま嵌合するようにして取り付けていた。しかし、この構造では、取付孔に嵌合するだけであるため、がたつきが生ずると容易にはずれやすい欠点があった。
【０００３】
そこで、下記特許文献１には、家具の表面側から取付孔に嵌合する把手本体に家具内側から嵌合する取付板を設け、両者を嵌合した状態で、家具内側より取付板と把手本体間を家具を挟んでネジ取付具により連結する構造のものが記載されている。また、取付板には、家具の内外を流通するための複数のスリットが開口されている。
【０００４】
この構造では、ネジ止めすることで、がたつきなどによるはずれを防止でき、開閉毎にスリットを通じて家具内外を空気が流通するため、家具内の湿気防止とともに、扉や引き出しの開閉動作を妨げないなどの利点がある。
【特許文献１】実用新案登録第３０７７０２３号公報
【考案の開示】
【考案が解決しようとする課題】
【０００５】
しかし、前記把手では、空気流通の手段が、比較的大きな開口面積の複数のスリットで構成されているため、空気中に漂う綿埃や、小虫などがスリットを通じて家具内部に入り込み、内部の収納物が埃をかぶったり、虫食いなどの被害が生ずるおそれがある。また、外側からこのスリットが見えてしまい、見栄え上の問題も生ずる。
【０００６】
そこで、本考案は以上の課題を解決するものであって、その目的とするところは、家具内外の空気流通を確保した上で、綿埃や小虫などの侵入を防止すること及び外方から見えにくくすることで、見栄え上の問題を解決できるようにした家具用把手を提供するものである。
【課題を解決するための手段】
【０００７】
前記目的を達成するため、本考案は、中央部に手掛け窓１３が開口形成された前面板５と、手掛け窓１３を囲むように前面板５の背面の内側に一体に突出形成された枠形の前部周壁４と、前部周壁４の一辺に沿って手掛け窓１３内に突出するように前面板５に連続して形成された手掛け板５ａとを備えた把手本体２と、前記前面板５に対向して設けられた背面板８と、背面板８の前面の内側に一体に突出形成され、前記前部周壁４に着脱自在に嵌合される後部周壁７とを備えた取付板３とを具備し、前記把手本体２の前面側から見て、前記手掛け板５ａの背面に隠れる前記背面板８の板面には、空気流通用の多数の小孔９が貫通して形成されていることを特徴としている。多数の小孔９は、多数の小円孔の集合により形成される。
【０００８】
請求項２の考案は、請求項１において、前記空気流通用の多数の小孔９は、前記手掛け板５ａの背面に隠れる前記背面板８の板面に、手掛け板５ａの前縁乃至前記後部周壁７の内縁の一辺に沿って、マトリックス状かつ千鳥状に、複数行複数列整列して形成され、かつ小孔９の一部は、前記把手本体２の前面側から見て、前記手掛け窓１３から見える位置に形成されていることを特徴としている。
【０００９】
請求項３の考案は、請求項１または２において、前記小孔９は、直径が略０．５mmから略２．０mm、望ましくは略１mmの円孔であることを特徴としている。
【００１０】
請求項４の考案は、請求項１乃至３のいずれか１項において、前記把手本体２の前記周壁４の内側両端部には、一対の取付用ボス部６が一体に形成され、前記取付板３の前記背面板８に対する対向位置両側には、一対の取付孔１０が開口形成され、前記取付孔１０を通じて前記取付用ボス部６に取付具Ｂを結合することで、把手本体２と取付板３間を連結固定することを特徴としている。
【００１１】
請求項５の考案は、請求項１乃至４のいずれか１項において、前記把手本体（２）の前記前面板（５）に連続する前記手掛け板（５ａ）前面の開口縁に沿って突条（５ｂ）を突設したことを特徴としている。
【００１２】
請求項６の考案は、請求項４において、前記取付板３における後部周壁７の内側には、前記取付用ボス部６と入れ子式に嵌め合うことにより、把手本体２と取付板３間の嵌め合い位置を規制するための嵌入阻止ブロック１１が一体に形成されていることを特徴としている。
【考案の効果】
【００１３】
本考案によれば、多数の小円孔の集合により形成される多数の小孔により、空気流通を確保した上で綿埃や小虫などの侵入を防止でき、斜め外方から見た場合には小孔が全く見えないため、見栄え上の問題も解消される。
【００１４】
請求項２の考案によれば、請求項１の作用・効果に加え、可及的に多数の小孔を形成できるため、空気の出入り量を大きく確保できる。
【００１５】
請求項３の考案によれば、請求項１または２の作用・効果に加え、径の最小数値以上で空気の流通が十分確保でき、最大数値以下で、虫、綿埃などの内部への侵入を防止できる。又円孔とすることで、小孔の成形が簡単になされる。
【００１６】
請求項４の考案によれば、請求項１乃至３の作用・効果に加え、取付位置に把手を強固に取付けることが出来、抜出し等の事故も未然に防止される。
【００１７】
請求項５の考案によれば、請求項１乃至４の作用・効果に加え、例えば事務用戸棚、ワゴンなどの抽斗にラベル貼りする際に、前記突条をガイドとしてラベル貼りが見栄え良くできる。
【００１８】
請求項６の考案によれば、請求項１乃至５の作用・効果に加え、把手本体と取付板との組付け時における組間違いを未然に防止できる。
【考案を実施するための最良の形態】
【００１９】
以下、本考案の最良の形態につき、添付図面を参照して詳細に説明する。
図１は本考案に係る把手の各部を示す正面図、背面図及び平面図、図２は同把手の分解斜視図、図３は（ａ），（ｂ）は同把手を家具の裏側から見た分解斜視図及び、組立斜視図、図４（ａ），（ｂ）は被取付部材の厚みと把手の取付関係を示す断面図である。
【００２０】
各図において、把手１は、取付対象物である家具Ａの前面に配置される把手本体２と、家具Ａの内側にあって、把手本体２の背面に結合される取付板３とからなり、いずれも合成樹脂射出成形体から構成されている。把手１は、全体として長方形状であり、前面に長方形状の手掛け窓１３が形成されている。把手１は、家具Ａの引き戸又は開き扉の前面に、横長あるいは縦長として設けられる。
【００２１】
把手本体２は、家具Ａの取付位置に開口形成された長孔Ａ１の形状に応じた扁平筒形の前部周壁４と、前部周壁４の前部に一体化された前面板５とを備え、この前面板５の中央部には手掛け窓１３が開口形成されている。この手掛け窓１３の下部及び両側部開口縁は、前部周壁４の内面に連続し、手掛け窓１３の上部側は前部周壁４の内面より一体に垂下された手掛け板５ａが延設され、引出し操作時にはこの手掛け板５ａを手掛りとして把手１の引出し操作が行われるようになっている。また、前面板５の開口縁上縁の外側部にはこれの長手方向に沿って突条５ｂが一体に突設されている。
【００２２】
この突条５ｂは把手１にラベル張りする際のガイドとなるもので、この突条５ｂの上縁に沿ってラベルを貼付けることにより、平行を保って見栄え良く貼付けできる。
【００２３】
前部周壁４は、前記前面板５との結合基部４ａと、結合基部４ａの後部に段差を設けて径小化された状態で後部側に延在された嵌合部４ｂと、嵌合部４ｂの長手方向内側に一体に突設された一対のビス取付用ボス部６とからなり、各ボス部６にはボス穴６ａが開口されている。
【００２４】
前記取付板３は、前記長孔Ａ１の形状に応じた扁平筒形の後部周壁７と、後部周壁７の後部にフランジ状に一体化された所定厚みの背面板８とからなっている。後部周壁７の内面は、前部周壁４の結合基部４ａと同一寸法に形成され、かつ前記嵌合部４ｂ及びボス部６を抜差し可能に嵌合する大きさに形成されている。
【００２５】
そして、後部周壁７の内側上部における前記背面板８の面内、すなわち把手本体２の前面側から見て手掛け板５ａにより隠される位置には、その長手方向に沿って前記背面板８の前後を貫通する小円孔の配列集合からなる小孔９が列方向２段、行方向多数のマトリックスをなし、かつ千鳥状に多数開口形成されている。
【００２６】
各小孔９の直径は最小径０．５mm、最大径２．０mmの範囲、望ましくは直径略１．０mmに設定され、この数値範囲で、空気は流通するが、綿埃や小虫などの侵入が防止される。なお、正面視では図１に破線で示すごとく、下段の小孔９は目視可能である。
【００２７】
また、後部周壁７の内側両側部には、前記背面板８を貫通して一対のビス孔よりなる取付孔１０が開口形成されているとともに、取付孔１０の上部近傍には前記ボス部６と入れ子式に嵌合することにより誤嵌入を防止するための嵌入阻止ブロック１１が突設され、把手本体２と取付板３との組付け時における両者の上下位置の誤りなどの組間違いが未然に防止されるようになっている。
【００２８】
さらに、各図中符号１２は、前記前部周壁４の結合基部４ａの上下外周、及び後部周壁７の上下外周に突設された複数のリブである。
【００２９】
以上において、特に図３に示すように、取付板３を家具Ａの取付孔Ａ１を挟む内側に位置させ、把手本体２を外側に位置させて、互いに嵌合した状態で各具Ａの内側からビス取付具ビスＢを取付板３の取付孔１０に差込み、ボス部６のボス穴６ａにネジ込むことで、両者は家具Ａの取付部を狭持した状態で強固に結合される。なお、取付具Ｂとしてはセルフタッピングビスを用いることにより、ボス穴６ａをねじ切りしつつ、強固に結合する。また、取付具Ｂとしては通常のビスを用いる一方、ボス部６には予め鬼ナットなどをインサート成形しておいても良い。
【００３０】
組付け状態では、特に図４（ａ）の目線で示すように、前記小孔９は上部側から見下ろした場合、外方からは全く見えず、見栄え上の問題を生ずることがない。この把手１を引出す場合には、図の破線で示すように、垂下部を手掛け板５ａとして引出し操作ができる。
【００３１】
なお、同図４（ａ）では、家具Ａの部材厚みＤ１が丁度前部周壁４の接合基部４ａと後部周壁７との突き合わせ長さに等しいものを用いたが、図４（ｂ）に示すように部材厚みＤ２が付合わせ長さよりも大である場合には、嵌合部４ｂを後部周壁７よりやや引抜いた状態で、同様に把手本体２と取付板３間を結合することができ、家具Ａの取付厚みの大小に応じた融通性をもたらせている。
【図面の簡単な説明】
【００３２】
【図１】本考案に係る把手の各部を示す正面図、背面図及び平面図である。
【図２】同把手の分解斜視図である。
【図３】（ａ），（ｂ）は同把手を取付対象である家具の裏側から見た分解斜視図及び、組立斜視図である。
【図４】（ａ），（ｂ）は取付対象の厚みと把手の取付関係を示す断面図である。
【符号の説明】
【００３３】
１  家具用把手
２  把手本体
３  取付板
４  前部周壁、４ａ  結合基部、４ｂ  嵌合部
５  前面板、５ａ  手掛け板、５ａ  突条
６  ビス取付用ボス部
６ａ  ボス穴
７  後部周壁
８  背面板
９  小孔
１０  取付孔
１１  ボス部嵌入阻止ブロック
１３  手掛け窓
Ｂ  取付具
【図１】
0003127037.tif 000003
【図２】
0003127037.tif 000004
【図３】
0003127037.tif 000005
【図４】
0003127037.tif 000006